(57)【要約】【課題】電子機器の表示画面に表示されるアイコンの数が多くなるとユーザが所望するアイコンを探しにくくなり、ユーザにとって煩雑になるという問題があり、これを解決することが課題となっていた。【解決手段】実施形態の電子機器は、アイコンが表示される表示画面を備える。また、前記表示画面に略同一の大きさの複数のアイコンが重ならないように、略２次元方向に並列して表示される第１のアイコン表示部を備える。また、前記第１のアイコン表示部の並列方向に連続し、前記第１のアイコン表示部から遠ざかるにつれてその大きさが小さくなるように、かつ隣接するアイコンの一部が重なるように前記表示画面に複数のアイコンが表示される第２のアイコン表示部を備える。【選択図】  図３
2012079065.tif 000002
【特許請求の範囲】
【請求項１】
アイコンが表示される表示画面と、
前記表示画面に略同一の大きさの複数のアイコンが重ならないように、略２次元方向に並列して表示される第１のアイコン表示部と、
前記第１のアイコン表示部の並列方向に連続し、前記第１のアイコン表示部から遠ざかるにつれてその大きさが小さくなるように、かつ隣接するアイコンの一部が重なるように前記表示画面に複数のアイコンが表示される第２のアイコン表示部を備える電子機器。
【請求項２】
前記第２のアイコン表示部に表示される複数のアイコンは、前記第１のアイコン表示部から遠ざかるにつれて透過度が増すように表示される請求項１に記載の電子機器。
【請求項３】
前記第２のアイコン表示部の隣接するアイコンは前記第１のアイコン表示部から遠ざかる方のアイコンが背面となるように表示される請求項１に記載の電子機器。
【請求項４】
前記第２のアイコン表示部は前記第１のアイコン表示部を挟み両端となるように表示される請求項１に記載の電子機器。
【請求項５】
前記第１のアイコン表示部および前記第２のアイコン表示部に表示される複数のアイコンは前記２次元方向にスクロールするように表示可能である請求項１に記載の電子機器。
【請求項６】
前記第１のアイコン表示部に表示されるアイコンは前記スクロール表示が行われることにより前記第２のアイコン表示部に表示可能な請求項３に記載の電子機器。
【請求項７】
前記第１のアイコン表示部に表示される前記複数のアイコンは前記第２のアイコン表示部に表示される前記複数のアイコンより大きく表示される請求項１に記載の電子機器。
【請求項８】
前記第２のアイコン表示部に表示される前記複数のアイコンは少なくとも３つ表示される請求項１に記載の電子機器。
【請求項９】
前記第１のアイコン表示部に表示される複数のアイコンは略同じ大きさで、実質的に非透過となるように表示し、前記第２のアイコン表示部に表示される複数のアイコンは実質的に透過となるように表示される請求項１に記載の電子機器。
【請求項１０】
前記第１のアイコン表示部および前記第２のアイコン表示部に表示される複数のアイコンは選択可能に構成される請求項１に記載の電子機器。
【請求項１１】
表示画面に略同一の大きさの複数のアイコンを重ならないように、略２次元方向に並列して第１の表示部に表示するステップと、
前記第１の表示部に表示された複数のアイコンの並列方向に連続し、前記第１の表示部から遠ざかるにつれてその大きさが小さくなるように、かつ隣接するアイコンの一部が重なるように前記表示画面に複数のアイコンを表示するステップを備えるアイコンの表示方法。
【請求項１２】
表示画面に略同一の大きさの複数のアイコンを重ならないように、略２次元方向に並列して第１の表示部に表示する第１の表示手段と、
前記第１の表示部に表示された複数のアイコンの並列方向に連続し、前記第１の表示部から遠ざかるにつれてその大きさが小さくなるように、かつ隣接するアイコンの一部が重なるように前記表示画面に複数のアイコンを表示する第２の表示手段を備える電子機器のプログラム。
【発明の詳細な説明】
【技術分野】
【０００１】
本発明の実施形態は、表示画面に複数のアイコンを表示する電子機器に関する。
【背景技術】
【０００２】
近年、表示画面に複数のアイコンを表示する電子機器が普及している。
アイコンを用いて電子機器を操作することは、一方では便利であるが、他方では電子機器の表示画面に表示されるアイコンの数が多くなるとユーザが所望するアイコンを探しにくくなり、ユーザにとって煩雑になるという問題があった。
【先行技術文献】
【特許文献】
【０００３】
【特許文献１】特開２００９−１４００８３号公報
【発明の概要】
【発明が解決しようとする課題】
【０００４】
電子機器の表示画面に表示されるアイコンの数が多くなるとユーザが所望するアイコンを探しにくくなり、ユーザにとって煩雑になるという問題があり、これを解決することが課題となっていた。
【課題を解決するための手段】
【０００５】
実施形態の電子機器は、アイコンが表示される表示画面を備える。
また、前記表示画面に略同一の大きさの複数のアイコンが重ならないように、略２次元方向に並列して表示される第１のアイコン表示部を備える。
また、前記第１のアイコン表示部の並列方向に連続し、前記第１のアイコン表示部から遠ざかるにつれてその大きさが小さくなるように、かつ隣接するアイコンの一部が重なるように前記表示画面に複数のアイコンが表示される第２のアイコン表示部を備える。
【図面の簡単な説明】
【０００６】
【図１】実施形態に係わる電子機器の外観図。
【図２】実施形態に係わる電子機器の構成を示すブロック図。
【図３】実施形態に係わる電子機器におけるアイコン表示の一例を表示画面の正面から見た図。
【図４】実施形態に係わる電子機器におけるアイコン表示のスクロール操作のようすを示す図。
【図５】実施形態に係わる電子機器におけるアイコン表示を表示画面の上方から見たアイコン整列時のイメージ図。
【図６】実施形態に係わる電子機器におけるアイコン表示を表示画面の上方から見たアイコン移動時のイメージ図。
【図７】実施形態に係わる電子機器の動作を説明するフローチャート。
【図８】実施形態に係わる電子機器の他の例におけるアイコン表示を表示画面の上方から見たアイコン整列時のイメージ図。
【発明を実施するための形態】
【０００７】
以下、図面を参照し、実施の形態を説明する。
図１は、実施形態に係わる電子機器の外観図である。
図１は、本発明の一実施形態に係る電子機器の外観を示す斜視図である。この電子機器は、例えばノートブックタイプのパーソナルコンピュータ１０として実現されている。
【０００８】
なお、この実施の形態はパーソナルコンピュータに限られず、ＴＶや携帯電話、携帯型の電子機器に適用することも可能である。
図１に示すように、本コンピュータ１０は、コンピュータ本体１１と、ディスプレイユニット１２とから構成されている。ディスプレイユニット１２には、ＬＣＤ（liquid crystal display）１７が組み込まれている。ディスプレイユニット１２は、コンピュータ本体１１の上面が露出される開放位置とコンピュータ本体１１の上面を覆う閉塞位置との間を回動自在にコンピュータ本体１１に取り付けられている。
【０００９】
コンピュータ本体１１は、薄い箱形の筐体を有しており、その上面には、キーボード１３、本コンピュータ１０を電源オン／電源オフするためのパワーボタン１４、入力操作パネル１５、タッチパッド１６、スピーカ１８Ａ，１８Ｂなどが配置されている。入力操作パネル１５上には、各種操作ボタンが設けられている。
【００１０】
また、コンピュータ本体１１の右側面には、例えばＵＳＢ（universal serial bus）２．０規格のＵＳＢケーブルやＵＳＢデバイスを接続するためのＵＳＢコネクタ１９が設けられている。
【００１１】
さらに、コンピュータ本体１１の背面には、例えばＨＤＭＩ(high-definition multimedia interface)規格に対応した外部ディスプレイ接続端子（図示せず）が設けられている。この外部ディスプレイ接続端子は、デジタル映像信号を外部ディスプレイに出力するために用いられる。
【００１２】
図２は、本コンピュータ１０のシステム構成を示す図である。
本コンピュータ１０は、図２に示されているように、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ）１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００１３】
ＣＰＵ１０１は、本コンピュータ１０内の各部の動作を制御するプロセッサである。ＣＰＵ１０１は、ＨＤＤ１０９から主メモリ１０３にロードされる、オペレーティングシステム（ＯＳ）２０１、及びフォトムービー作成アプリケーションプログラム２０２のような各種アプリケーションプログラムを実行する。
【００１４】
フォトムービー作成アプリケーションプログラム２０２は、例えばＨＤＤ１０９等に格納された各種デジタルコンテンツを再生するソフトウェアである。このフォトムービー作成アプリケーションプログラム２０２は、動画像生成機能を有している。この動画像生成機能は、例えば、ＨＤＤ１０９等に格納された写真等の素材（デジタルコンテンツ）を用いて、動画像（フォトムービー、スライドショー）を作成する機能である。
【００１５】
さらに、この動画像生成機能は、動画像の作成に用いる素材を分析する機能を含む。フォトムービー作成アプリケーションプログラム２０２は、素材を用いて作成された動画像を再生し、画面（ＬＣＤ１７）に表示する。
【００１６】
また、ＣＰＵ１０１は、ＢＩＯＳ−ＲＯＭ１０７に格納されたＢＩＯＳも実行する。ＢＩＯＳは、ハードウェア制御のためのプログラムである。
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００１７】
ＧＰＵ１０５は、本コンピュータ１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００１８】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００１９】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２０】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００２１】
例えば、ＵＳＢコントローラ１１１Ａは、例えば、デジタルカメラに格納されている画像データファイルを受信するために使用される。カードコントローラ１１１Ｂは、コンピュータ本体１１に設けられたカードスロットに挿入される、ＳＤカードのようなメモリカードに対するデータの書き込み及び読み出しを実行する。
【００２２】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて本コンピュータ１０を電源オン／電源オフする機能を有している。
【００２３】
この実施の形態における表示制御は、例えばＣＰＵ１０１が主メモリ１０３やＨＤＤ１０９等に記録されたプログラムを実行させることにより、行われる。
図３は、実施形態に係わる電子機器におけるアイコン表示の一例を表示画面の正面から見た図である。
この実施の形態においては、表示画面１７に複数のアイコンを２次元方向、例えば横一例に配置する。
そして、例えば、表示画面１７の中央部の中央均等表示部３０に、複数のアイコン（２０８、２０９、２１０、２１１）を略同一サイズ（同一の大きさ）で、重ならないように略同一間隔離して表示する。
【００２４】
中央均等表示部３０には複数のアイコン（２０８、２０９、２１０、２１１）が表示され、これらのアイコンは例えばサイズ（大きさ）が基準の１００％、つまり等倍で透過率０％、つまり非透過としてアイコン同士が重なり合わない均一な間隔で表示され、ユーザの指示により選択可能とする。
【００２５】
しかし、中央均等表示部３０の両端の表示部（左縮小表示部３１、右縮小表示部３２）には、中央均等表示部３０から遠ざかるにつれて（遠ざかれば遠ざかる程）、アイコンは徐々に縮小されて表示される。言い換えれば、隣接するアイコンが中央均等表示部３０から遠ざかるにつれてだんだんと小さくなるように表示させる。
【００２６】
また、左縮小表示部３１および右縮小表示部３２に表示されるアイコンの表示間隔を減少させる。ここでは、さらにアイコンどうしが重なるように表示させる。
また、中央均等表示部３０から遠ざかるにつれて（遠ざかれば遠ざかる程）、アイコンの透過度（透明度）が増すようにする。
例えば、左縮小表示部３１にはアイコン２０８より小さいサイズ（大きさ）のアイコン２０７が表示され、アイコン２０７、アイコン２０６が表示される。
これらは、中央均等表示部３０から遠ざかるにつれてその大きさが小さくなるように、かつ隣接するアイコンの一部が重なるように、また透過度が増すように表示される。
【００２７】
ここで、中央均等表示部３０と左縮小表示部３１の間には、実際の製品には表示しないが、左基軸２１が想定されている。
同様に、中央均等表示部３０と右縮小表示部３２の間には、右基軸２１が想定されている。
例えば、アイコン（２０５、２０６、２０７、２０８、２０９、２１０、２１１、２１２、２１３、２１４）はユーザによってスクロール操作される。
このスクロール操作は、例えば表示画面１７に設けられるタッチパッド（図示せず）や、パーソナルコンピュータに用いられるマウス、テンキー等をユーザが操作することで実行される。
【００２８】
そして、アイコンがユーザによってスクロール操作されるとアイコンは表示画面上を移動する。
そして、アイコンがこれらの左基軸２１または右基軸２１を超えて移動すると上記のようにアイコンの表示が変化する。
すなわち、この実施の形態においては、例えば、横一列に配置された複数のアイコンにおいて、例えば表示画面１７の左右に想定する基軸（左基軸２１、右基軸２２）に対し、中央均等表示部３０に表示される複数のアイコンは略等間隔、略同一サイズ、実質的に非透過で表示される。
【００２９】
また、画面左右の基軸（左基軸２１、右基軸２２）に対し、外部に表示されるアイコンは端になる程、アイコンサイズが小さくなり表示間隔が狭く、あるいは、透過度（透過率）が増していく。
【００３０】
この際、隣接するアイコンとの間の距離が近くなったアイコンは重ねて表示され、両端になるに従って後方（背面）に配置されるような表示とする。
また、アイコンをスクロールするときは、複数のアイコンが一斉に移動し、スクロール先の端に表示されたアイコンから消えていくと共に、スクロール元の端に表示されたアイコンから出現していく。
【００３１】
この際、表示画面に表示するアイコン数は一定数として、端まで移動したアイコンは画面両端まで移動する前に非表示とする。
また、表示画面上に表示されている複数のアイコンはサイズの大小によらず、ユーザの指示により選択可能とする。
この際、表示画面端で重なったように表示されるアイコンは前方に表示されたアイコンが優先的に選択されるようにする。
このように構成することで複数のアイコンの視認性が向上し、ユーザは目的のアイコンを選択しやすくなる。
図４は、実施形態に係わる電子機器におけるアイコン表示のスクロール操作のようすを示す図である。
図４（ａ）は、アイコン表示を表示画面の左へ２つスクロール操作した場合の表示例である。
アイコン表示が表示画面の左へ２つスクロール操作されたため、左縮小表示部３１にはアイコン（２０７、２０８、２０９）が、中央均等表示部３０にはアイコン（２１０、２１１、２１２、２１３）が、右縮小表示部３２には、アイコン（２１４、２１５、２１６）がそれぞれ表示される。表示形態は上記の通りである。
【００３２】
図４（ｂ）は、アイコン表示を表示画面の右へ２つスクロール操作した場合の表示例である。
アイコン表示が表示画面の右へ２つスクロール操作されたため、左縮小表示部３１にはアイコン（２０３、２０４、２０５）が、中央均等表示部３０にはアイコン（２０６、２０７、２０８、２０９）が、右縮小表示部３２には、アイコン（２１０、２１１、２１２）がそれぞれ表示される。ここでも表示形態は上記の通りである。
【００３３】
図５は、実施形態に係わる電子機器におけるアイコン表示を表示画面の上方から見たアイコン整列時のイメージ図である。
ここでは、アイコンは２０１、２０２、２０３、２０４、２０５、２０６、２０７、２０８、２０９、２１０、２１１、２１２、２１３、２１４、２１５、２１６、２１７、２１８が存在するが、表示画面１７に表示されるアイコンは可視基軸２３より前方に存在するアイコン（２０５、２０６、２０７、２０８、２０９、２１０、２１１、２１２、２１３、２１４）である。
【００３４】
上記アイコン（２０１、２０２、２０３、２０４）、およびアイコン（２１３、２１４、２１５、２１６）は表示画面１７に表示されない。このため、ユーザからは見ることができないし、選択することもできない。
【００３５】
図６は、実施形態に係わる電子機器におけるアイコン表示を表示画面の上方から見たアイコン移動時のイメージ図である。
ここでは、上記図５の説明に対し、ユーザが右方向に４回アイコンをスクロールする指示を与える例を説明する。
すると、可視基軸２３の前方に表示されるアイコンは２０１、２０２、２０３、２０４となり、２１１、２１２、２１３、２１４、２１５、２１６、２１７、２１８はユーザからは見えなくなり、選択できなくなる。
【００３６】
またアイコン２０１は左端に存在しているため、ユーザがこれ以上左方向にスクロールすることもできない。
図７は実施形態に係わる電子機器の動作を説明するフローチャートである。
ここでは、一つのアイコンの動作について説明するが、他のアイコンも同様の動作をする。
符号１００は開始ステップである。続いて、符合１０１を付したステップへ進む。
符号Ｓ１０１はアイコン選択の終了を確認するステップである。ここではアイコン選択の終了を確認し、ユーザが終了を指示した場合、符号Ｓ１１０を付したステップへ進み、アイコン選択を終了する（Ｙｅｓ）。
【００３７】
ユーザが終了を指示しなかった場合には符号Ｓ１０２を付したステップに制御移行し、アイコンの移動指示があったか確認する（Ｎｏ）。
符号１０２は、アイコンの移動指示があったかどうかの確認を行うステップである。移動指示があったかどうかの確認は例えばマウスカーソルをアイコン上でクリックしたまま横方向に移動したり、タッチパネル搭載の情報機器であればアイコン上をタッチしたまま横方向にスライドしたりして実現する。
【００３８】
アイコンの移動指示がなかった場合は符号Ｓ１０１を付したステップに制御移行する（Ｎｏ）。アイコンの移動指示があった場合は符号Ｓ１０３を付したステップに制御移行し、アイコンが移動可能かどうかを判定する（Ｎｏ）。
【００３９】
符号Ｓ１０３は、アイコンが移動可能かを判別するステップである。アイコンは両端が存在するため、図６に示すから右方向にスクロールしようとした際にはアイコンが移動不可能と判定して符号Ｓ１０１を付したステップに制御移行する（Ｎｏ）。同様に右端に存在する２１８のアイコンが可視基軸内に存在している状態から左方向にスクロールしようとした際にもアイコンが移動不可能と判定して符号Ｓ１０１を付したステップに制御移行する（Ｎｏ）。
【００４０】
その他の場合にはアイコンが移動可能と判定して符号Ｓ１０４を付したステップに制御移行して移動先座標を算出する（Ｙｅｓ）。
移動先座標を算出したら符号Ｓ１０５を付したステップに制御移行し、移動先座標が可視基軸より後方か判定する。
符号Ｓ１０５を付したステップは、移動先座標が可視基軸より後方であるかを判別するステップである。
移動先座標が可視基軸より後方の場合、符号Ｓ１０６を付したステップに進み（Ｙｅｓ）、アイコンを非表示とすると共にユーザが選択不可として符号Ｓ１０１を付したステップに制御移行する。
【００４１】
移動先座標が可視基軸より前方の場合、符号Ｓ１０７を付したステップに制御移行し、移動先座標が中央均等表示部か判定する（Ｎｏ）。
符号Ｓ１０７は、移動先座標が中央均等表示部であるかを判別するステップである。移動先座標が中央均等表示部の場合、符号Ｓ１０８を付したステップに制御移行し、アイコンを等倍率表示、非透過表示とすると共にユーザが選択可能にし（Ｙｅｓ）、符号Ｓ１０１を付したステップに制御移行する。
【００４２】
移動先座標が中央均等表示部でない場合（Ｎｏ）、Ｓ１０９に制御移行し、移動先座標に基づいた倍率から求めたサイズ、透過率、および表示位置としてユーザが選択可能にし、符号Ｓ１０１を付したステップに制御移行する。
【００４３】
例えばこの実施の形態は、五十音順のデータとなる電話帳アイコンのように、検索に始まりと終わりが存在するような場合に特に有効である。
図８は、実施形態に係わる電子機器の他の例におけるアイコン表示を表示画面の上方から見たアイコン整列時のイメージ図である。
この実施の形態は、上記図５の説明と比較し、可視基軸２３より後方のアイコンに右端、左端が存在せずループ状となっている。
これにより、ユーザは左方向、もしくは右方向にスクロールを続けても、途中でスクロールが停止することなく、目的とするアイコンを探し続けることができる。
また、この実施の形態における動作は上記図７で説明したフローチャートに対し、アイコンが移動可能かどうかの判定する処理（ステップＳ１０３）を削除することで実現可能となる。
【００４４】
例えばこの実施の形態は、アプリケーションアイコンのように、アイコンの並び順があまり問題とされないような場合、あるいはアイコンの数が多いときに特に有効である。
【００４５】
また、変形例としては、中央均等表示部に存在するアイコンも非透過としない事により、アイコン全体が透明感を持ち美的に優れた表示とする場合に有効である。
また、他の変形例としては、アイコンを横に並べるのでなく、縦に並べて縦方向にスクロールしたり、あるいは斜めに並べて斜め方向にスクロールしたりすることも可能である。
【００４６】
また、他の変形例としては、アイコンの形状は四角形だけでなく丸形、多面形など自由な形状とすることも可能である。
これにより、画面中央部に表示される複数のアイコンが等倍で表示されるため、ユーザはスクロール動作による目的とするアイコンを探すことが容易となる。
また、両端のアイコンが重ね合わせた半透過の表示となることで、表示されているアイコン全体の視認性も向上する。
上記のように構成することにより、この発明の実施の形態においては、電子機器の表示画面に表示されるアイコンの数が多くなるとユーザが所望するアイコンを探しにくくなり、ユーザにとって煩雑になるという課題を解決することが可能になる。
【００４７】
なお、上記実施形態は、記述そのものに限定されるものではなく、実施段階では、その趣旨を逸脱しない範囲で、構成要素を種々変形して具体化することが可能である。
【符号の説明】
【００４８】
１０…電子機器、１７…映像表示部（ＬＣＤ）、２１…左基軸、２２…右基軸、２３…可視基軸、３０…アイコン中央均等表示部、３１…左縮小表示部、３２…右縮小表示部。
【図１】
2012079065.tif 000003
【図２】
2012079065.tif 000004
【図３】
2012079065.tif 000005
【図４】
2012079065.tif 000006
【図５】
2012079065.tif 000007
【図６】
2012079065.tif 000008
【図７】
2012079065.tif 000009
【図８】
2012079065.tif 000010
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
アイコンが表示される表示画面と、
前記表示画面に略同一の大きさの第１の複数のアイコンが重ならないように、略１次元方向に並列して表示される第１のアイコン表示部と、
前記第１のアイコン表示部の前記１次元方向に連続し、第２の複数のアイコンが前記第１のアイコン表示部から遠ざかるにつれてその大きさが小さくなるように、かつ、第２の複数のアイコンの少なくとも一部が他の少なくとも一部と重なるように、前記表示画面に表示される第２のアイコン表示部を備える電子機器。
【請求項２】
前記第２の複数のアイコンは、前記第１のアイコン表示部から遠ざかるにつれて透過度が増す請求項１に記載の電子機器。
【請求項３】
前記第２のアイコン表示部において、前記第２の複数のアイコンの第１アイコンは、前記第２の複数のアイコンの第２アイコンよりも前記第１のアイコン表示部から離れており、前記第１アイコンが、前記第２アイコンの背面に表示される請求項１に記載の電子機器。
【請求項４】
第１のアイコン表示部において前記第２のアイコン表示部と連続する側部に対して反対の側部に第３のアイコン表示部をさらに備える請求項１に記載の電子機器。
【請求項５】
前記第１のアイコン表示部に表示されるのアイコンおよび前記第２のアイコン表示部に表示されるアイコンについて、前記１次元方向にスクロール表示を実行する請求項１に記載の電子機器。
【請求項６】
前記スクロール表示により、前記第１のアイコン表示部に表示されるアイコンのそれぞれを前記第２のアイコン表示部で表示するように移動可能である請求項３に記載の電子機器。
【請求項７】
前記第１のアイコン表示部に表示される前記第１の複数のアイコンは、前記第２のアイコン表示部に表示される前記第２の複数のアイコンより大きい請求項１に記載の電子機器。
【請求項８】
前記第２のアイコン表示部には、少なくとも３つのアイコンが表示される請求項１に記載の電子機器。
【請求項９】
前記第１の複数のアイコンは、前記第１のアイコン表示部において実質的に非透過となるように表示され、前記第２の複数のアイコンは、前記第２のアイコン表示部において実質的に透過となるように表示される請求項１に記載の電子機器。
【請求項１０】
前記第１のアイコン表示部に表示される前記第１の複数のアイコンおよび前記第２のアイコン表示部に表示される前記第２の複数のアイコンは、選択可能である請求項１に記載の電子機器。
【請求項１１】
表示画面に略同一の大きさの第１の複数のアイコンを重ならないように、略１次元方向に並列して第１の表示部に表示するステップと、
前記第１の複数のアイコンと前記１次元方向に連続し、前記第１の表示部から遠ざかるにつれてその大きさが小さくなるように、前記表示画面に第２の複数のアイコンを表示するステップを備えるアイコンの表示方法。
【請求項１２】
表示画面に略同一の大きさの第１の複数のアイコンを互いに重ならないように、略１次元方向に並列して第１の表示部に表示する第１の表示手段と、
前記第１の表示部に表示された複数のアイコンの並列方向に連続し、前記第１の表示部から遠ざかるにつれてその大きさが小さくなるように、かつ、前記第１の複数のアイコンに隣接するアイコンが、前記第１の複数のアイコンから遠いアイコンよりも大きくなるように前記表示画面に第２の複数のアイコンを表示する第２の表示手段を備える電子機器のプログラム。